(57)【要約】【課題】各種電子機器の入力操作部に用いられる可動接点付きシートに関し、軽快で良好な節度感を備えたものを提供することを目的とする。【解決手段】下面全面に備えた粘着剤３で、上方凸形に膨らんだドーム状をした可動接点１の上面を粘着したベースシート２１は、可動接点１毎の周縁近傍の外周部上面位置それぞれに、円形リング状に所定幅の凹部２１Ｂが設けられ、その凹部２１Ｂ位置の厚みが薄くなされた薄肉部２１Ａを備えるものとした。【選択図】図１
2010244796.tif 000002
【特許請求の範囲】
【請求項１】
上方凸形のドーム状をした弾性金属薄板製の可動接点と、下面の粘着剤で上記可動接点を粘着保持した絶縁フィルム製のベースシートとを有する可動接点付きシートであって、上記ベースシートは上記可動接点の周縁近傍の外周部位置においてその厚みが薄くなされた薄肉部を有していることを特徴とする可動接点付きシート。
【請求項２】
ベースシートの薄肉部は、可動接点を囲むリング状に設けられていることを特徴とする請求項１記載の可動接点付きシート。
【請求項３】
可動接点を囲むリング状に設けられた薄肉部に対して、その薄肉部の内周側に同心状に第２の薄肉部がさらに設けられていることを特徴とする請求項２記載の可動接点付きシート。
【発明の詳細な説明】
【技術分野】
【０００１】
本発明は、各種電子機器の入力操作部を構成する可動接点付きシートに関するものである。
【背景技術】
【０００２】
近年、携帯電話機に代表されるような電子機器の入力操作部には、固定接点を配した配線基板上に可動接点付きシートを粘着して構成したパネルスイッチが、簡素で薄型化が図れると共に、軽快な操作感も得られるために、多く採用されている。
【０００３】
このような従来の可動接点付きシートについて、図５〜図８を用いて説明する。
【０００４】
図５は従来の可動接点付きシートの断面図、図６は同分解斜視図であり、同図において、１は上方凸形に膨らんだドーム状をした弾性金属薄板からなる可動接点、２は下面に粘着剤３を備えた絶縁性フィルムからなるベースシートで、複数個の上記可動接点１は、それぞれの上面を粘着剤３で粘着されて、ベースシート２の所定位置に保持されている。
【０００５】
そして、５は円柱形の操作突起であり、接着剤４によって可動接点１のドーム状頂点部に対応したベースシート２の上面位置に固着されて、従来の可動接点付きシート１０が構成されている。
【０００６】
なお、ベースシート２下面の粘着剤３や可動接点１の下面への異物等の付着を防止するため、絶縁性フィルムからなる保護シート６をベースシート２下面全面に粘着させて、上記可動接点付きシート１０は保管や輸送がなされる。
【０００７】
次に、以上のように構成された保護シート６を備えた可動接点付きシート１０において、保護シート６を剥がして配線基板１１上に装着して構成したパネルスイッチについて説明する。
【０００８】
図７は従来の可動接点付きシートを配線基板上に装着して構成したパネルスイッチの断面図、図８は同動作状態の断面図である。
【０００９】
図７、図８において、１１は上面に複数の固定接点１２が所定位置に配設されている配線基板で、個々の固定接点１２は、中央固定接点１２Ａとその中央固定接点１２Ａを中心として所定距離離れた周囲位置に設けられた外側固定接点１２Ｂを対として配されている。１３は絶縁性樹脂を印刷等で形成したレジストで、各固定接点１２どうしの間の位置に設けられている。
【００１０】
この配線基板１１上に、可動接点付きシート１０が、各可動接点１のそれぞれを固定接点１２の位置に合わせて、ベースシート２下面の粘着剤３により粘着されて装着されている。その状態で、可動接点１の外周下端は外側固定接点１２Ｂ上に載り、ドーム状頂点部下面が中央固定接点１２Ａと間隔をあけて対峙し、可動接点１と固定接点１２で個々のスイッチが構成されている。
【００１１】
そして、このように構成されたパネルスイッチにおいて、上方から操作突起５に押圧力を加えると、ベースシート２を介して操作突起５に対向した可動接点１に押圧力が加わる。そして、所定の押圧力になると、可動接点１は節度感を伴って弾性反転し、ドーム状頂点部下面が中央固定接点１２Ａに接触する。これにより、可動接点１を介して外側固定接点１２Ｂと中央固定接点１２Ａとの間が電気的に導通（スイッチオン）する。
【００１２】
次に、操作突起５に加えていた押圧力を除去すると、可動接点１が自身の弾性復帰力によって節度感を伴って弾性復帰し、これによりドーム状頂点部下面が中央固定接点１２Ａから離れ、外側固定接点１２Ｂと中央固定接点１２Ａとの間が絶縁（スイッチオフ）となり、元の図７の状態に戻るものであった。
【００１３】
なお、この出願の発明に関連する先行技術文献情報としては、例えば、特許文献１が知られている。
【先行技術文献】
【特許文献】
【００１４】
【特許文献１】特開２００２−２１６５８２号公報
【発明の概要】
【発明が解決しようとする課題】
【００１５】
しかしながら、上記従来の可動接点付きシートにおいては、ベースシート２が可動接点１の上方凸形に膨らんだドーム形状に沿って粘着しているため、ベースシート２に張力が生じ、その張力が影響して、押圧操作時の可動接点１の弾性反転、弾性復帰時の節度感が鈍化するという課題があった。
【００１６】
本発明は、このような従来の課題を解決するものであり、軽快で良好な節度感を備えた可動接点付きシートを提供することを目的とする。
【課題を解決するための手段】
【００１７】
上記目的を達成するために本発明は、以下の構成を有するものである。
【００１８】
本発明の請求項１に記載の発明は、上方凸形のドーム状をした弾性金属薄板製の可動接点と、下面の粘着剤で上記可動接点を粘着保持した絶縁フィルム製のベースシートとを有する可動接点付きシートであって、上記ベースシートは上記可動接点の周縁近傍の外周部位置においてその厚みが薄くなされた薄肉部を有していることを特徴とする可動接点付きシートとしたものであり、可動接点の周縁近傍の外周部に薄肉部を設けたことによって、ベースシートが可動接点のドーム形状に沿うことで生じている張力が軽減されるため、粘着保持された可動接点の弾性変形動作で生じる節度感への影響が抑えられ、良好な節度感を備えた可動接点付きシートを提供することができるという作用を有する。
【００１９】
請求項２に記載の発明は、請求項１記載の発明において、ベースシートの薄肉部は、可動接点を囲むリング状に設けられていることを特徴とするものであり、薄肉部が可動接点を囲む全周に設けられているので、ベースシートに生じる張力を方向性がなく一様に軽減できるという作用を有する。
【００２０】
請求項３に記載の発明は、請求項２記載の発明において、可動接点を囲むリング状に設けられた薄肉部に対して、その薄肉部の内周側に同心状に第２の薄肉部がさらに設けられていることを特徴とするものであり、可動接点のドーム状部分に粘着した部分に生じるベースシートの張力をより軽減することができるため、さらに良好な節度感が得られるものにできるという作用を有する。
【発明の効果】
【００２１】
以上のように本発明によれば、軽快で良好な節度感を備えた可動接点付きシートを提供することができるという有利な効果が得られる。
【図面の簡単な説明】
【００２２】
【図１】本発明の一実施の形態による可動接点付きシートの断面図
【図２】同配線基板上に装着して構成したパネルスイッチの断面図
【図３】同動作状態の断面図
【図４】別形態のベースシートによる可動接点付きシートの断面図
【図５】従来の可動接点付きシートの断面図
【図６】同分解斜視図
【図７】同配線基板上に装着して構成したパネルスイッチの断面図
【図８】同動作状態の断面図
【発明を実施するための形態】
【００２３】
以下、本発明の実施の形態について、図１〜図４を用いて説明する。なお、従来の技術の項で説明した構成と同一構成の部分には同一符号を付して、詳細な説明を簡略化する。
【００２４】
（実施の形態）
図１は本発明の一実施の形態による可動接点付きシートの断面図であり、同図において、１は上方凸形に膨らんだドーム状をした弾性金属薄板からなる円形の可動接点で、上方から押圧されると節度感を伴って弾性反転し、押圧解除されると節度感を伴って弾性復帰する挙動をするように形成されている。
【００２５】
２１はＰＥＴ樹脂やＰＰ樹脂などの絶縁性フィルムからなるベースシートで、下面全面に粘着剤３を備えており、この粘着剤３で複数個の上記可動接点１それぞれのドーム状上面を粘着して所定位置に保持している。
【００２６】
このベースシート２１は、複数個の可動接点１毎の周縁に近接した外周部上面位置それぞれに、円形リング状に所定幅の凹部２１Ｂが設けられ、その凹部２１Ｂ位置の厚みが薄くなされた薄肉部２１Ａとなっている。なお、薄肉部２１Ａとしては、例えば、ベースシート２１下面の粘着剤３を上記位置部分をパターン形成して逃がしたものとし、凹部を下面開口で設けて構成したものとするなど、図１に示した構成のもののみに限定はされない。
【００２７】
そして、下面に粘着保持した可動接点１の上方凸形に膨らんだドーム形状にベースシート２１が沿うことで、ベースシート２１に張力が生じているが、この張力が薄肉部２１Ａに加わると、薄肉部２１Ａに僅かな伸びが生じて、張力が軽減されるようになっている。
【００２８】
５はＰＥＴ樹脂やＴＰＵ樹脂などからなる円柱形をした操作突起で、接着剤４により上記可動接点１のドーム状頂点部に対向した上記ベースシート２１の上面位置それぞれに固着されている。
【００２９】
以上のように本実施の形態による可動接点付きシート２０は構成されている。
【００３０】
なお、この可動接点付きシート２０は、ベースシート２１下面の粘着剤３や可動接点１下面に塵埃等の異物が付着することを防いで保管・搬送ができるように、ベースシート２１下面全面を覆って、ＰＥＴ樹脂などの絶縁フィルムからなる保護シート６が粘着剤３で粘着された状態で保管等がなされる。
【００３１】
次に、この保護シート６を剥がして、可動接点付きシート２０を用いて構成したパネルスイッチと、その動作について、図２、図３を用いて説明する。
【００３２】
図２は本実施形態の可動接点付きシートを配線基板上に装着して構成したパネルスイッチの断面図、図３は同動作状態の断面図である。
【００３３】
図２、図３において、１１は上面に複数個の固定接点１２が配設された配線基板で、固定接点１２は中央固定接点１２Ａとその中央固定接点１２Ａを中心として所定距離離れた周囲位置の外側固定接点１２Ｂとが対になって構成されており、各固定接点１２どうしの間の位置には絶縁性樹脂を印刷等で形成したレジスト１３が設けられている。
【００３４】
可動接点付きシート２０は、上記配線基板１１上に設けられた複数個の固定接点１２の位置に合わせて可動接点１のそれぞれが位置するように、ベースシート２１下面の粘着剤３で粘着されて装着されている。
【００３５】
この状態で、可動接点１の外周下端は外側固定接点１２Ｂ上に載り、ドーム状頂点部下面が中央固定接点１２Ａと間隔をあけて対峙し、１つの可動接点１と対応する固定接点１２で１つのスイッチが構成され、可動接点付きシート２０全体で複数個のスイッチを備えたパネルスイッチが構成されている。
【００３６】
次に、このように構成したパネルスイッチの動作を説明する。
【００３７】
まず、上方から操作突起５に押圧力を加えると、ベースシート２１を介して操作突起５に対向した可動接点１のドーム状頂点部に押圧力が加わる。そして、その押圧力が所定の大きさになると、図３に示すように、可動接点１は節度感を伴ってドーム状の中央部が下方凸形に弾性反転し、ドーム状頂点部下面が下方に対峙した中央固定接点１２Ａに接触する。これにより、可動接点１を介して外側固定接点１２Ｂと中央固定接点１２Ａ間が電気的に導通（スイッチオン）する。
【００３８】
次に、操作突起５に加えていた押圧力を除去していき、所定の押圧力より小さくなると、可動接点１が自身の弾性復帰力によって、下方凸形に反転していたドーム状の中央部が節度感を伴って上方凸形に弾性復帰し、これによりドーム状頂点部下面が中央固定接点１２Ａから離れ、外側固定接点１２Ｂと中央固定接点１２Ａ間が絶縁（スイッチオフ）となり、元の図２の状態に戻る。
【００３９】
この可動接点１の弾性反転、弾性復帰の動作において、それぞれ節度感を生じるが、ベースシート２１の可動接点１周縁近傍の外周位置に対応させて設けた円形リング状の薄肉部２１Ａの部分で僅かに伸びることにより、可動接点１のドーム形状に沿うことで生じていたベースシート２１の張力が軽減される。そのため、可動接点１自身の弾性反転、弾性復帰の動作へのベースシート２１側の影響を抑えることができ、良好な節度感が得られる。
【００４０】
このように本実施の形態によれば、ベースシート２１において、円形の可動接点１の周縁近傍の外周部上面にリング状の薄肉部２１Ａを設けた構成としたことにより、上方凸形に膨らんだ可動接点１のドーム形状に沿うことで生じるベースシート２１の張力が軽減されて、粘着保持した可動接点１の弾性反転、弾性復帰の動作で生じる節度感への影響を抑え、良好な節度感を備えた可動接点付きシート２０を提供することができる。
【００４１】
そして、本実施の形態のように、薄肉部２１Ａを可動接点１を囲む全周に設けると、ベースシート２１に生じる張力を方向性がなく一様に軽減させるようにできる。
【００４２】
なお、ベースシート２１およびその下面に粘着保持する可動接点１の配置位置等の関係で、リング状に薄肉部２１Ａが設けられない場合は、複数個の円弧状の薄肉部２１Ａを略リング状に配列して設けた構成であっても良く、このものでもベースシート２１に生じる張力の影響を抑えて、節度感を良化することができる。
【００４３】
さらに、図４の別形態のベースシートによる可動接点付きシートの断面図としても良い。
【００４４】
図４において、２２は下面に粘着剤３を備えた絶縁樹脂フィルム製のベースシートであり、このベースシート２２は可動接点１のドーム形状に沿って膨らんだ傾斜部分の中間位置に第２の薄肉部２１Ｃを円形リング状に設けたものとしている。この第２の薄肉部２１Ｃは、可動接点１の周縁近傍の外周部に設けられた円形リング状の薄肉部２１Ａと同心円状に設けている。なお、可動接点１および保護シート６は上述構成のものと同じであるので、説明は省略する。
【００４５】
この第２の薄肉部２１Ｃを備えさせた構成とすることにより、可動接点１のドーム形状に沿って膨らんだ傾斜部分で生じるベースシート２２の張力を、第２の薄肉部２１Ｃが僅かに伸びて、その部分においても緩和させることができるため、押圧操作時の可動接点１の弾性反転、弾性復帰の動作への影響をさらに軽減して、良好な節度感を得ることができる可動接点付きシート３０を提供することができる。
【００４６】
そして、ベースシート２２に設ける薄肉部２１Ａ，２１Ｃは、図４に示す２箇所に限定することなく、さらに多く同心円状に設けても良い。
【００４７】
以上述べた実施形態において、配線基板１１は、固定接点１２どうしの間の上面位置にレジスト１３を設けた構成で説明したが、このレジスト１３を設ける代わりに、下面に粘着剤を備えた絶縁樹脂製のスペーサーを粘着し、そのスペーサーの上面に可動接点付きシート２０，３０を粘着して構成しても良い。また、そのスペーサーを、可動接点付きシート２０，３０側に予め一体化させて構成した可動接点付きシートとしても良い。さらに、レジスト１３もスペーサーも設けないで、可動接点付きシート２０，３０をベースシート２１，２２下面の粘着剤３で配線基板１１上に直接粘着して構成しても良い。可動接点１としても、外形が円形以外のものであってもよい。操作突起５をなくした構成のものとしてもよい。
【産業上の利用可能性】
【００４８】
本発明による可動接点付きシートは、軽快で良好な節度感を備えた可動接点付きシートを提供することができるという有利な効果を有し、各種電子機器の入力操作部等に有用である。
【符号の説明】
【００４９】
１  可動接点
３  粘着剤
４  接着剤
５  操作突起
６  保護シート
１１  配線基板
１２  固定接点
１２Ａ  中央固定接点
１２Ｂ  外側固定接点
１３  レジスト
２０，３０  可動接点付きシート
２１，２２  ベースシート
２１Ａ  薄肉部
２１Ｂ  凹部
２１Ｃ  第２の薄肉部
【図１】
2010244796.tif 000003
【図２】
2010244796.tif 000004
【図３】
2010244796.tif 000005
【図４】
2010244796.tif 000006
【図５】
2010244796.tif 000007
【図６】
2010244796.tif 000008
【図７】
2010244796.tif 000009
【図８】
2010244796.tif 000010